(57)【特許請求の範囲】
【請求項１】
無線通信システムにおいて制御情報を送信する方法であって、
前記方法は、
複数の情報フィールドを含むダウンリンク制御情報（ＤＣＩ）を構成することであって、前記複数の情報フィールドは、ダウンリンクデータ送信に対する電力のダウンリンク電力オフセットが直接的に従うコードブックインデックスを指示するためのＴＰＭＩ（ｔｒａｎｓｍｉｔｔｅｄ  ｐｒｅｃｏｄｉｎｇ  ｍａｔｒｉｘ  ｉｎｄｉｃａｔｏｒ）情報フィールドを含み、前記ダウンリンクデータ送信に対する電力のダウンリンク電力オフセットは、１ビット情報であり、「０ｄＢ」を指示する第１のオフセット値または「−１０ｌｏｇ１０２（ｄＢ）」を指示する第２のオフセット値に設定され、ユーザ機器により報告されたＰＭＩ（ｐｒｅｃｏｄｉｎｇ  ｍａｔｒｉｘ  ｉｎｄｉｃａｔｏｒ）を用いてダウンリンクデータにプリコーディングを実行するか否かを指示するためのＰＭＩ承認フィールドは前記ＤＣＩには含まれず、前記複数の情報フィールドは、リソースブロックが連続的に割り当てられるか、または分散されて割り当てられるかを識別するためのＶＲＢ（ｖｉｒｔｕａｌ  ｒｅｓｏｕｒｃｅ  ｂｌｏｃｋ）割当フラッグフィールドをさらに含む、ことと、
前記ダウンリンク制御情報を送信することと
を含む、方法。
【請求項２】
前記ＴＰＭＩ情報フィールドは、前記ダウンリンクデータ送信に用いられるコードブックの一部からなるサブセットのコードブックを指示する、請求項１に記載の方法。
【請求項３】
前記ダウンリンク制御情報は、ＰＤＣＣＨ（ｐｈｙｓｉｃａｌ  ｄｏｗｎｌｉｎｋ  ｃｏｎｔｒｏｌ  ｃｈａｎｎｅｌ）を介して送信される、請求項１に記載の方法。
【発明の詳細な説明】
【技術分野】
【０００１】
本発明は、無線通信に関し、より詳しくは、ダウンリンク制御情報を送信する方法に関する。
【背景技術】
【０００２】
最近、無線通信システムの性能と通信用量を極大化するために多重入出力（Ｍｕｌｔｉｐｌｅ  Ｉｎｐｕｔ  Ｍｕｌｔｉｐｌｅ  Ｏｕｔｐｕｔ；ＭＩＭＯ）システムが注目を浴びている。ＭＩＭＯ技術は、現在まで一つの送信アンテナと一つの受信アンテナを使用したことから脱皮し、多重送信アンテナと多重受信アンテナを採択して送受信データ送信効率を向上させることができる方法である。ＭＩＭＯシステムを多重アンテナ（Ｍｕｌｔｉｐｌｅ  ａｎｔｅｎｎａ）システムとも呼ぶ。ＭＩＭＯ技術は、一つの全体メッセージを受信するために単一アンテナ経路に依存せずに複数のアンテナで受信された断片的なデータを集めて完成する技術を応用したことである。その結果、特定範囲でデータ送信速度を向上させたり、或いは特定データ送信速度に対してシステム範囲を増加させることができる。
【０００３】
ＭＩＭＯ技術には送信ダイバーシティ（ｔｒａｎｓｍｉｔ  ｄｉｖｅｒｓｉｔｙ）、空間多重化（ｓｐａｔｉａｌ  ｍｕｌｔｉｐｌｅｘｉｎｇ）及びビーム形成（ｂｅａｍｆｏｒｍｉｎｇ）などがある。送信ダイバーシティは、多重送信アンテナで同一データを送信して送信信頼度を高める技術である。
【０００４】
空間多重化は、多重送信アンテナで互いに異なるデータを同時に送信することで、システムの帯域幅を増加させずに高速のデータを送信することができる技術である。ビーム形成は、多重アンテナでチャネル状態による加重値を加えて信号のＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させるために使われる。この時、加重値は、加重値ベクトル（ｗｅｉｇｈｔ  ｖｅｃｔｏｒ）または加重値行列（ｗｅｉｇｈ  ｍａｔｒｉｘ）で表示されることができ、これをプリコーディングベクトル（ｐｒｅｃｏｄｉｎｇ  ｖｅｃｔｏｒ）またはプリコーディング行列（ｐｒｅｃｏｄｉｎｇ  ｍａｔｒｉｘ）と呼ぶ。
【０００５】
空間多重化には、単一ユーザに対する空間多重化と多重ユーザに対する空間多重化がある。単一ユーザに対する空間多重化はＳＵ−ＭＩＭＯ（Ｓｉｎｇｌｅ  Ｕｓｅｒ  ＭＩＭＯ）といい、多重ユーザに対する空間多重化はＳＤＭＡ（Ｓｐａｔｉａｌ  Ｄｉｖｉｓｉｏｎ  Ｍｕｌｔｉｐｌｅ  Ａｃｃｅｓｓ）あるいはＭＵ−ＭＩＭＯ（Ｍｕｌｔｉ  Ｕｓｅｒ  ＭＩＭＯ）という。ＭＩＭＯチャネルの容量は、アンテナ数に比例して増加する。ＭＩＭＯチャネルは独立チャネルに分解されることができる。送信アンテナの数をＮｔ、受信アンテナの数をＮｒとする時、独立チャネルの数ＮｉはＮｉ≦ｍｉｎ｛Ｎｔ，Ｎｒ｝となる。各々の独立チャネルは空間階層（ｓｐａｔｉａｌ  ｌａｙｅｒ）といえる。ランク（ｒａｎｋ）は、ＭＩＭＯチャネル行列の零でない固有値（ｎｏｎ−ｚｅｒｏ  ｅｉｇｅｎｖａｌｕｅ）の数であり、多重化されることができる空間ストリームの数として定義されることができる。
【０００６】
データ送信に対する制御情報は、ダウンリンク制御チャネルを介して端末に送信される。ダウンリンク制御情報にはデータ送受信に必要な各種情報が含まれる。端末は、ダウンリンク制御チャネルを介して制御情報を受信してデータを送受信することができる。ダウンリンク制御情報は、送信されるデータにより定められた複数のフォーマット（ｆｏｒｍａｔ）で構成される。ＭＩＭＯシステムではダウンリンク制御情報にプリコーディング情報がさらに含まれ、ＭＩＭＯシステムのデータ送信方式によってプリコーディング情報が不必要な場合がある。例えば、端末は、ＳＵ−ＭＩＭＯで全体バンド（ｗｉｄｅｂａｎｄ）の中から特定周波数バンドを選択し、選択された周波数バンドに対するＰＭＩを送信し、ＭＵ−ＭＩＭＯで全体バンドに対するＰＭＩのみを送信する。端末が送信するＰＭＩに対する承認メッセージが送信され、これはＭＵ−ＭＩＭＯで不必要な情報である。
【０００７】
ダウンリンク制御情報が定められたフォーマットによって不必要な情報が含まれることを減らし、ダウンリンク制御情報を効率的に送信することができる方法が要求される。
【発明の概要】
【発明が解決しようとする課題】
【０００８】
本発明が解決しようとする技術的課題は、ダウンリンク制御情報を効率的に送信することができる方法を提供することである。
【課題を解決するための手段】
【０００９】
本発明の一態様による無線通信システムにおける制御情報の送信方法は、空間多重化モードで単一コードワードの送信に対するスケジューリングのためのフォーマット（ｆｏｒｍａｔ）によって複数の情報フィールドを含むダウンリンク制御情報を構成し、前記複数の情報フィールドは、端末が報告したＰＭＩ（ｐｒｅｃｏｄｉｎｇ  ｍａｔｒｉｘ  ｉｎｄｉｃａｔｏｒ）を適用してダウンリンクデータに対するプリコーディング（ｐｒｅｃｏｄｉｎｇ）を実行するか否かを指示するためのＰＭＩ承認フィールド及びコードブックインデックス（ｃｏｄｅｂｏｏｋ  ｉｎｄｅｘ）を指示するためのＴＰＭＩ（ｔｒａｎｓｍｉｔｔｅｄ  ｐｒｅｃｏｄｉｎｇ    ｍａｔｒｉｘ    ｉｎｄｉｃａｔｏｒ）情報フィールドを含み、前記ＰＭＩ承認フィールド及び前記ＴＰＭＩ情報フィールドのうち少なくともいずれか一つは、前記ダウンリンクデータ送信に対する電力のオフセット値または前記ダウンリンクデータ送信に対する干渉情報を指示する段階、及び前記ダウンリンク制御情報を送信する段階を含む。
【００１０】
本発明の他の態様による無線通信システムにおけるデータの処理方法は、ダウンリンク制御チャネルを介して複数の情報フィールドを含むダウンリンク制御情報を受信する段階、及び前記ダウンリンク制御情報が指示する電力情報または干渉情報を用いてダウンリンクデータを受信する段階を含み、前記電力情報または前記干渉情報は端末が報告したＰＭＩを前記ダウンリンクデータ送信に適用するか否かを指示するフィールドを介して送信される。
本発明は、例えば、以下の項目も提供する。
（項目１）
無線通信システムにおける制御情報の送信方法において、
空間多重化モードで単一コードワードの送信に対するスケジューリングのためのフォーマット（ｆｏｒｍａｔ）によって複数の情報フィールドを含むダウンリンク制御情報を構成し、
前記複数の情報フィールドは、端末が報告したＰＭＩ（ｐｒｅｃｏｄｉｎｇ  ｍａｔｒｉｘ  ｉｎｄｉｃａｔｏｒ）を適用してダウンリンクデータに対するプリコーディング（ｐｒｅｃｏｄｉｎｇ）を実行するか否かを指示するためのＰＭＩ承認フィールド及びコードブックインデックス（ｃｏｄｅｂｏｏｋ  ｉｎｄｅｘ）を指示するためのＴＰＭＩ（ｔｒａｎｓｍｉｔｔｅｄ  ｐｒｅｃｏｄｉｎｇ    ｍａｔｒｉｘ    ｉｎｄｉｃａｔｏｒ）情報フィールドを含み、前記ＰＭＩ承認フィールド及び前記ＴＰＭＩ情報フィールドのうち少なくともいずれか一つは、前記ダウンリンクデータ送信に対する電力のオフセット値または前記ダウンリンクデータ送信に対する干渉情報を指示する段階；及び、
前記ダウンリンク制御情報を送信する段階；を含む制御情報の送信方法。
（項目２）
前記複数の情報フィールドは、割り当てられるリソースブロック（ｒｅｓｏｕｒｃｅ  ｂｌｏｃｋ）が連続的に割り当てられるか、または分散されて割り当てられるかを区分するためのＶＲＢ（ｖｉｒｔｕａｌ  ｒｅｓｏｕｒｃｅ  ｂｌｏｃｋ）割当フラッグ（ｆｌａｇ）フィールドをさらに含み、前記ＶＲＢ割当フラッグフィールドは、前記ＰＭＩ承認フィールドと共に前記ダウンリンクデータ送信に対する電力オフセット値を指示することを特徴とする項目１に記載の制御情報の送信方法。
（項目３）
前記ＶＲＢ割当フラッグフィールドは、前記ＰＭＩ承認フィールドと共に前記ダウンリンクデータ送信に対する干渉情報を指示することを特徴とする項目２に記載の制御情報の送信方法。
（項目４）
前記ＴＰＭＩ情報フィールドは、前記ダウンリンクデータ送信に適用されるコードブックの一部からなるサブセット（ｓｕｂｓｅｔ）のコードブックを指示することを特徴とする項目１に記載の制御情報の送信方法。
（項目５）
前記ＰＭＩ承認フィールドは、多重ユーザに対する空間多重化が適用される時、前記ダウンリンクデータ送信に対する電力のオフセット値に対する情報を指示することを特徴とする項目１に記載の制御情報の送信方法。
（項目６）
前記ダウンリンクデータ送信に対する電力のオフセット値は、単一ユーザが使用する電力値に対比する値で表現されることを特徴とする項目５に記載の制御情報の送信方法。
（項目７）
前記ダウンリンク制御情報は、ＰＤＣＣＨ（ｐｈｙｓｉｃａｌ  ｄｏｗｎｌｉｎｋ  ｃｏｎｔｒｏｌ  ｃｈａｎｎｅｌ）を介して送信されることを特徴とする項目１に記載の制御情報の送信方法。
（項目８）
無線通信システムにおけるデータの処理方法において、
ダウンリンク制御チャネルを介して複数の情報フィールドを含むダウンリンク制御情報を受信する段階；及び、
前記ダウンリンク制御情報が指示する電力情報または干渉情報を用いてダウンリンクデータを受信する段階；を含み、前記電力情報または前記干渉情報は、端末が報告したＰＭＩを前記ダウンリンクデータ送信に適用するか否かを指示するフィールドを介して送信されるデータの処理方法。
（項目９）
前記電力情報または前記干渉情報は、前記ダウンリンクデータ送信に適用される全体コードブックの一部からなるサブセットのコードブックを指示するフィールドを介して送信される項目８に記載の無線通信システムにおけるデータの処理方法。
【発明の効果】
【００１１】
ＤＣＩに含まれるダウンリンク電力オフセットフィールドまたは干渉ベクトルフィールドから電力情報または干渉情報が獲得されることができ、より効率的にＭＵ−ＭＩＭＯのダウンリンクデータが送信されることができる。
【図面の簡単な説明】
【００１２】
【図１】無線通信システムを示すブロック図である。
【図２】Ｅ−ＵＴＲＡＮとＥＰＣとの間の機能分割（ｆｕｎｃｔｉｏｎａｌ  ｓｐｌｉｔ）を示すブロック図である。
【図３】端末の要素を示すブロック図である。
【図４】ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。
【図５】制御平面（ｃｏｎｔｒｏｌ  ｐｌａｎｅ）に対する無線プロトコル構造を示すブロック図である。
【図６】ダウンリンク論理チャネルとダウンリンク伝送チャネルとの間のマッピング（ｍａｐｐｉｎｇ）を示す。
【図７】ダウンリンク伝送チャネルとダウンリンク物理チャネルとの間のマッピングを示す。
【図８】無線フレームの構造を示す。
【図９】一つのダウンリンクスロットに対するリソースグリッド（ｒｅｓｏｕｒｃｅ  ｇｒｉｄ）を示す。
【図１０】サブフレームの構造を示す。
【図１１】ＰＤＣＣＨを構成する方法を示す。
【図１２】本発明の一実施例に係る制御情報の送信方法を示す。
【発明を実施するための形態】
【００１３】
図１は、無線通信システムを示すブロック図である。これはＥ−ＵＭＴＳ（Ｅｖｏｌｖｅｄ−Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の網構造である。Ｅ−ＵＭＴＳシステムは、ＬＴＥ（Ｌｏｎｇ  Ｔｅｒｍ  Ｅｖｏｌｕｔｉｏｎ）システムということもできる。無線通信システムは、音声、パケットデータなどのような多様な通信サービスを提供するために広く配置される。
【００１４】
図１を参照すると、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）は、制御平面（ｃｏｎｔｒｏｌ  ｐｌａｎｅ）とユーザ平面（ｕｓｅｒ  ｐｌａｎｅ）を提供する基地局（Ｂａｓｅ  Ｓｔａｔｉｏｎ；ＢＳ）２０を含む。
【００１５】
端末（Ｕｓｅｒ  Ｅｑｕｉｐｍｅｎｔ；ＵＥ）１０は、固定されたり移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（Ｗｉｒｅｌｅｓｓ  Ｄｅｖｉｃｅ）等、他の用語で呼ばれることができる。基地局２０は、一般的に端末１０と通信する固定局（ｆｉｘｅｄ  ｓｔａｔｉｏｎ）をいい、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。一つの基地局２０は、少なくとも一つのセルに対してサービスを提供することができる。セルは、基地局２０が通信サービスを提供する領域である。基地局２０間にはユーザトラフィックあるいは制御トラフィック送信のためのインターフェースが使われることができる。以下、ダウンリンク（ｄｏｗｎｌｉｎｋ）は、基地局２０から端末１０への送信を意味し、アップリンク（ｕｐｌｉｎｋ）は、端末１０から基地局２０への送信を意味する。
【００１６】
基地局２０は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）、より詳しくは、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ  Ｇａｔｅｗａｙ）３０と連結される。Ｓ１インターフェースは、基地局２０とＭＭＥ／Ｓ−ＧＷ３０との間に多対多関係（ｍａｎｙ−ｔｏ−ｍａｎｙ−ｒｅｌａｔｉｏｎ）をサポートする。
【００１７】
無線通信システムは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）／ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）ベースのシステムである。ＯＦＤＭは、複数の直交副搬送波を用いる。ＯＦＤＭは、ＩＦＦＴ（ｉｎｖｅｒｓｅ  ｆａｓｔ  Ｆｏｕｒｉｅｒ  Ｔｒａｎｓｆｏｒｍ）とＦＦＴ（ｆａｓｔ  Ｆｏｕｒｉｅｒ  Ｔｒａｎｓｆｏｒｍ）との間の直交性特性を用いる。送信機は、データにＩＦＦＴを実行して送信する。受信機は、受信信号にＦＦＴを実行して元データを復元する。送信機は、多重副搬送波を結合するためにＩＦＦＴを使用し、受信機は、多重副搬送波を分離するために対応するＦＦＴを使用する。
【００１８】
無線通信システムは、多重アンテナ（ｍｕｌｔｉｐｌｅ  ａｎｔｅｎｎａ）システムである。多重アンテナシステムは、多重入出力（ｍｕｌｔｉｐｌｅ−ｉｎｐｕｔ  ｍｕｌｔｉｐｌｅ−ｏｕｔｐｕｔ；ＭＩＭＯ）システムであってもよく、または、多重アンテナシステムは、多重入力シングル出力（ｍｕｌｔｉｐｌｅ−ｉｎｐｕｔ  ｓｉｎｇｌｅ−ｏｕｔｐｕｔ；ＭＩＳＯ）システムまたはシングル入力シングル出力（ｓｉｎｇｌｅ−ｉｎｐｕｔ  ｓｉｎｇｌｅ−ｏｕｔｐｕｔ；ＳＩＳＯ）システムまたはシングル入力多重出力（ｓｉｎｇｌｅ−ｉｎｐｕｔ  ｍｕｌｔｉｐｌｅ−ｏｕｔｐｕｔ；ＳＩＭＯ）システムであってもよい。ＭＩＭＯシステムは、複数の送信アンテナと複数の受信アンテナを使用する。ＭＩＳＯシステムは、複数の送信アンテナと一つの受信アンテナを使用する。ＳＩＳＯシステムは、一つの送信アンテナと一つの受信アンテナを使用する。ＳＩＭＯシステムは、一つの送信アンテナと複数の受信アンテナを使用する。
【００１９】
多重アンテナシステムにおける多重アンテナを用いた技法として、ランク１では、ＳＦＢＣ（Ｓｐａｃｅ  Ｆｒｅｑｕｅｎｃｙ  Ｂｌｏｃｋ  Ｃｏｄｅ）、ＳＴＢＣ（Ｓｐａｃｅ  Ｔｉｍｅ  Ｂｌｏｃｋ  Ｃｏｄｅ）のようなＳＴＣ（Ｓｐａｃｅ−Ｔｉｍｅ  Ｃｏｄｉｎｇ）、ＣＤＤ（Ｃｙｃｌｉｃ  Ｄｅｌａｙ  Ｄｉｖｅｒｓｉｔｙ）、ＦＳＴＤ（ｆｒｅｑｕｅｎｃｙ  ｓｗｉｔｃｈｅｄ  ｔｒａｎｓｍｉｔ  ｄｉｖｅｒｓｉｔｙ）、ＴＳＴＤ（ｔｉｍｅ  ｓｗｉｔｃｈｅｄ  ｔｒａｎｓｍｉｔ  ｄｉｖｅｒｓｉｔｙ）などが使われることができる。ランク２以上では、空間多重化（Ｓｐａｔｉａｌ  Ｍｕｌｔｉｐｌｅｘｉｎｇ；ＳＭ）、ＧＣＤＤ（Ｇｅｎｅｒａｌｉｚｅｄ  Ｃｙｃｌｉｃ  Ｄｅｌａｙ  Ｄｉｖｅｒｓｉｔｙ）、Ｓ−ＶＡＰ（Ｓｅｌｅｃｔｉｖｅ  Ｖｉｒｔｕａｌ  Ａｎｔｅｎｎａ  Ｐｅｒｍｕｔａｔｉｏｎ）などが使われることができる。ＳＦＢＣは、空間領域と周波数領域で選択性を効率的に適用して該当次元におけるダイバーシティ利得と多重ユーザスケジューリング利得の両方とも確保することができる技法である。ＳＴＢＣは、空間領域と時間領域で選択性を適用する技法である。ＦＳＴＤは、多重アンテナに送信される信号を周波数で区分する技法であり、ＴＳＴＤは、多重アンテナに送信される信号を時間で区分する技法である。空間多重化は、アンテナ別に互いに異なるデータを送信して送信率を高める技法である。ＧＣＤＤは、時間領域と周波数領域で選択性を適用する技法である。Ｓ−ＶＡＰは、単一プリコーディング行列を使用する技法であり、空間ダイバーシティまたは空間多重化で多重コードワードをアンテナ間に混合するＭＣＷ（Ｍｕｌｔｉ  Ｃｏｄｅｗｏｒｄ）Ｓ−ＶＡＰと単一コードワードを使用するＳＣＷ（Ｓｉｎｇｌｅ  Ｃｏｄｅｗｏｒｄ）Ｓ−ＶＡＰがある。
【００２０】
図２は、Ｅ−ＵＴＲＡＮとＥＰＣとの間の機能分割（ｆｕｎｃｔｉｏｎａｌ  ｓｐｌｉｔ）を示すブロック図である。斜線がひかれているボックスは、無線プロトコル階層（ｒａｄｉｏ  ｐｒｏｔｏｃｏｌ  ｌａｙｅｒ）を示し、斜線がひかれていないボックスは、制御平面の機能的個体（ｆｕｎｃｔｉｏｎａｌ  ｅｎｔｉｔｙ）を示す。
【００２１】
図２を参照すると、基地局は、次のような機能を遂行する。（１）無線ベアラ制御（Ｒａｄｉｏ  Ｂｅａｒｅｒ  Ｃｏｎｔｒｏｌ）、無線許可制御（Ｒａｄｉｏ  Ａｄｍｉｓｓｉｏｎ  Ｃｏｎｔｒｏｌ）、連結移動性制御（Ｃｏｎｎｅｃｔｉｏｎ  Ｍｏｂｉｌｉｔｙ  Ｃｏｎｔｒｏｌ）、端末への動的リソース割当（Ｄｙｎａｍｉｃ  Ｒｅｓｏｕｒｃｅ  Ａｌｌｏｃａｔｉｏｎ）のような無線リソース管理（Ｒａｄｉｏ  Ｒｅｓｏｕｒｃｅ  Ｍａｎａｇｅｍｅｎｔ；ＲＲＭ）機能、（２）ＩＰ（Ｉｎｔｅｒｎｅｔ  Ｐｒｏｔｏｃｏｌ）ヘッダ圧縮及びユーザデータストリームの解読（ｅｎｃｒｙｐｔｉｏｎ）、（３）Ｓ−ＧＷへのユーザ平面データのルーティング（ｒｏｕｔｉｎｇ）、（４）ページング（ｐａｇｉｎｇ）メッセージのスケジューリング及び送信、（５）ブロードキャスト（ｂｒｏａｄｃａｓｔ）情報のスケジューリング及び送信、（６）移動性とスケジューリングのための測定と測定報告設定。
【００２２】
ＭＭＥは、次のような機能を遂行する。（１）ＮＡＳ（Ｎｏｎ−Ａｃｃｅｓｓ  Ｓｔｒａｔｕｍ）シグナリング、（２）ＮＡＳシグナリング保安（ｓｅｃｕｒｉｔｙ）、（３）アイドルモードＵＥ到達性（Ｉｄｌｅ  ｍｏｄｅ  ＵＥ  Ｒｅａｃｈａｂｉｌｉｔｙ）、（４）トラッキング領域リスト管理（Ｔｒａｃｋｉｎｇ  Ａｒｅａ  ｌｉｓｔ  ｍａｎａｇｅｍｅｎｔ）、（５）ローミング（Ｒｏａｍｉｎｇ）、（６）認証（Ａｕｔｈｅｎｔｉｃａｔｉｏｎ）。
【００２３】
Ｓ−ＧＷは、次のような機能を遂行する。（１）移動性アンカリング（ｍｏｂｉｌｔｉｙ  ａｎｃｈｏｒｉｎｇ）、（２）合法的盗聴（ｌａｗｆｕｌ  ｉｎｔｅｒｃｅｐｔｉｏｎ）。Ｐ−ＧＷ（ＰＤＮ−Ｇａｔｅｗａｙ）は、次のような機能を遂行する。（１）端末ＩＰ（ｉｎｔｅｒｎｅｔ  ｐｒｏｔｏｃｏｌ）割当（ａｌｌｏｃａｔｉｏｎ）、（２）パケットフィルタリング。
【００２４】
図３は、端末の要素を示すブロック図である。端末５０は、プロセッサ（ｐｒｏｃｅｓｓｏｒ）５１、メモリ（ｍｅｍｏｒｙ）５２、ＲＦ部（ＲＦ（Ｒａｄｉｏ  Ｆｒｅｑｕｅｎｃｙ）ｕｎｉｔ）５３、ディスプレイ部（ｄｉｓｐｌａｙ  ｕｎｉｔ）５４、ユーザインターフェース部（ｕｓｅｒ  ｉｎｔｅｒｆａｃｅｕｎｉｔ）５５を含む。プロセッサ５１は、無線インターフェースプロトコルの階層が具現され、制御平面とユーザ平面を提供する。各階層の機能は、プロセッサ５１を介して具現されることができる。メモリ５２は、プロセッサ５１と連結され、端末駆動システム、アプリケーション及び一般的なファイルを格納する。ディスプレイ部５４は、端末の多様な情報をディスプレイし、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅｓ）等、よく知られている要素を使用することができる。ユーザインターフェース部５５は、キーパッドやタッチスクリーンなどよく知られているユーザインターフェースの組合せで構成されることができる。ＲＦ部５３は、プロセッサと連結され、無線信号（ｒａｄｉｏ  ｓｉｇｎａｌ）を送信及び／または受信する。
【００２５】
端末とネットワークとの間の無線インターフェースプロトコル（ｒａｄｉｏ  ｉｎｔｅｒｆａｃｅ  ｐｒｏｔｏｃｏｌ）の階層は、通信システムで広く知られている開放型システム間相互接続（Ｏｐｅｎ  Ｓｙｓｔｅｍ  Ｉｎｔｅｒｃｏｎｎｅｃｔｉｏｎ；ＯＳＩ）モデルの下位３個階層に基づいて、第１の階層（Ｌ１）、第２の階層（Ｌ２）、第３の階層（Ｌ３）に区分されることができる。第１の階層は、物理階層（ＰＨＹ（ｐｈｙｓｉｃａｌ）  ｌａｙｅｒ）である。第２の階層は、ＭＡＣ（Ｍｅｄｉｕｍ  Ａｃｃｅｓｓ  Ｃｏｎｔｒｏｌ）階層、ＲＬＣ（Ｒａｄｉｏ  Ｌｉｎｋ  Ｃｏｎｔｒｏｌ）階層、及びＰＤＣＰ（Ｐａｃｋｅｔ  Ｄａｔａ  Ｃｏｎｖｅｒｇｅｎｃｅ  Ｐｒｏｔｏｃｏｌ）階層に分離されることができる。第３の階層は、ＲＲＣ（Ｒａｄｉｏ  Ｒｅｓｏｕｒｃｅ  Ｃｏｎｔｒｏｌ）階層である。物理階層は、物理チャネル（ｐｈｙｓｉｃａｌ  ｃｈａｎｎｅｌ）を用いた情報伝送サービス（ｉｎｆｏｒｍａｔｉｏｎ  ｔｒａｎｓｆｅｒ  ｓｅｒｖｉｃｅ）を提供し、第３の階層に位置する無線リソース制御（ｒａｄｉｏ  ｒｅｓｏｕｒｃｅ  ｃｏｎｔｒｏｌ；以下、ＲＲＣという）階層は、端末とネットワークとの間に無線リソースを制御する役割を遂行する。このために、ＲＲＣ階層は、端末とネットワークとの間にＲＲＣメッセージを互いに交換する。
【００２６】
図４は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図５は、制御平面（ｃｏｎｔｒｏｌ  ｐｌａｎｅ）に対する無線プロトコル構造を示すブロック図である。これは端末とＥ−ＵＴＲＡＮとの間の無線インターフェースプロトコルの構造を示す。ユーザ平面は、ユーザデータ送信のためのプロトコルスタック（ｐｒｏｔｏｃｏｌ  ｓｔａｃｋ）であり、制御平面は制御信号送信のためのプロトコルスタックである。
【００２７】
図４及び図５を参照すると、互いに異なる物理階層間、即ち、送信側と受信側の物理階層間では物理チャネルを介してデータが移動する。物理階層は、上位にあるＭＡＣ階層と伝送チャネル（ｔｒａｎｓｐｏｒｔ  ｃｈａｎｎｅｌ）を介して連結される。伝送チャネルを介してＭＡＣ階層と物理階層との間のデータが移動する。物理階層は、伝送チャネルを用いてＭＡＣ階層及び上位階層に情報伝送サービス（ｉｎｆｏｒｍａｔｉｏｎ  ｔｒａｎｓｆｅｒ  ｓｅｒｖｉｃｅ）を提供する。
【００２８】
ＭＡＣ階層は、論理チャネル（ｌｏｇｉｃａｌ  ｃｈａｎｎｅｌ）を介して上位階層であるＲＬＣ階層にサービスを提供する。ＲＬＣ階層は、信頼性のあるデータの送信をサポートする。ＰＤＣＰ階層は、ＩＰパケットヘッダサイズを減らすヘッダ圧縮（ｈｅａｄｅｒ  ｃｏｍｐｒｅｓｓｉｏｎ）機能を遂行する。
【００２９】
ＲＲＣ階層は、制御平面でのみ定義される。ＲＲＣ階層は、端末とネットワークとの間に無線リソースを制御する役割を遂行する。このために、ＲＲＣ階層は、端末とネットワークとの間にＲＲＣメッセージを互いに交換する。ＲＲＣ階層は、無線ベアラ（Ｒａｄｉｏ  Ｂｅａｒｅｒ）の設定（ｃｏｎｆｉｇｕｒａｔｉｏｎ）、再設定（ｒｅ−ｃｏｎｆｉｇｕｒａｔｉｏｎ）、及び解除（ｒｅｌｅａｓｅ）と関連して論理チャネル、伝送チャネル及び物理チャネルの制御を担当する。無線ベアラは、端末とＥ−ＵＴＲＡＮとの間のデータ伝達のために第２の階層により提供されるサービスを意味する。端末のＲＲＣとネットワークのＲＲＣとの間にＲＲＣ連結（ＲＲＣ  Ｃｏｎｎｅｃｔｉｏｎ）がある場合、端末は、ＲＲＣ連結モード（ＲＲＣ  Ｃｏｎｎｅｃｔｅｄ  Ｍｏｄｅ）にあるようになり、そうでない場合、ＲＲＣアイドルモード（ＲＲＣ  Ｉｄｌｅ  Ｍｏｄｅ）にあるようになる。
【００３０】
ＲＲＣ階層の上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を遂行する。
【００３１】
図６は、ダウンリンク論理チャネルとダウンリンク伝送チャネルとの間のマッピング（ｍａｐｐｉｎｇ）を示す。これは３ＧＰＰ  ＴＳ  ３６．３００  Ｖ８．５．０（２００８−０５）Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ；Ｓｔａｇｅ  ２（Ｒｅｌｅａｓｅ  ８）の６．１．３．２節をすることが参照できる。
【００３２】
図６を参照すると、ＰＣＣＨ（Ｐａｇｉｎｇ  Ｃｏｎｔｒｏｌ  Ｃｈａｎｎｅｌ）は、ＰＣＨ（Ｐａｇｉｎｇ  Ｃｈａｎｎｅｌ）にマッピングされ、ＢＣＣＨ（Ｂｒｏａｄｃａｓｔ  Ｃｏｎｔｒｏｌ  Ｃｈａｎｎｅｌ）は、ＢＣＨ（Ｂｒｏａｄｃａｓｔ  Ｃｈａｎｎｅｌ）またはＤＬ−ＳＣＨ（Ｄｏｗｎｌｉｎｋ  Ｓｈａｒｅｄ  Ｃｈａｎｎｅｌ）にマッピングされる。ＣＣＣＨ（Ｃｏｍｍｏｎ  Ｃｏｎｔｒｏｌ  Ｃｈａｎｎｅｌ）、ＤＣＣＨ（Ｄｅｄｉｃａｔｅｄ  Ｃｏｎｔｒｏｌ  Ｃｈａｎｎｅｌ）、ＤＴＣＨ（Ｄｅｄｉｃａｔｅｄ  Ｔｒａｆｆｉｃ  Ｃｈａｎｎｅｌ）、ＭＣＣＨ（Ｍｕｌｔｉｃａｓｔ  Ｃｏｎｔｒｏｌ  Ｃｈａｎｎｅｌ）、及びＭＴＣＨ（Ｍｕｌｔｉｃａｓｔ  Ｔｒａｆｆｉｃ  Ｃｈａｎｎｅｌ）は、ＤＬ−ＳＣＨにマッピングされる。ＭＣＣＨとＭＴＣＨは、ＭＣＨ（Ｍｕｌｔｉｃａｓｔ  Ｃｈａｎｎｅｌ）にもマッピングされる。
【００３３】
各論理チャネルタイプは、送信される情報の種類によって定義される。論理チャネルは、制御チャネルとトラフィックチャネルの２種類がある。
【００３４】
制御チャネルは、制御平面情報の伝送のためのチャネルである。ＢＣＣＨは、システム制御情報をブロードキャスティングするためのダウンリンクチャネルである。ＰＣＣＨは、ページング情報を送信するダウンリンクチャネルであり、ネットワークが端末の位置を知らない時に使用する。ＣＣＣＨは、端末とネットワークとの間の制御情報を送信するチャネルであり、端末とネットワークとの間のＲＲＣ連結がない時に使われる。ＭＣＣＨは、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）制御情報の送信に使われるポイントツーマルチポイント（ｐｏｉｎｔ−ｔｏ−ｍｕｌｔｉｐｏｉｎｔ）ダウンリンクチャネルである。ＤＣＣＨは、端末とネットワークとの間の専用制御情報を送信するポイントツーポイント両方向チャネルであり、ＲＲＣ連結を有する端末により使われる。
【００３５】
トラフィックチャネルは、ユーザ平面情報の伝送のためのチャネルである。ＤＴＣＨは、ユーザ情報の送信のためのポイントツーポイントチャネルであり、アップリンクとダウンリンクの両方とも存在する。ＭＴＣＨは、トラフィックデータの送信のためのポイントツーマルチポイントダウンリンクチャネルであり、ＭＢＭＳを受信する端末のために使われる。
【００３６】
伝送チャネルは、無線インターフェースを介してデータが送信される方式によって分類される。ＢＣＨは、セル全領域でブロードキャストされ、固定されて予め定義された送信フォーマットを有する。ＤＬ−ＳＣＨは、ＨＡＲＱ（Ｈｙｂｒｉｄ  Ａｕｔｏｍａｔｉｃ  Ｒｅｐｅａｔｒｅ  Ｑｕｅｓｔ）のサポート、変調、コーディング、及び送信パワーの変化による動的リンク適応のサポート、ブロードキャストの可能性、ビーム形成の可能性、動的／半静的（ｓｅｍｉ−ｓｔａｔｉｃ）リソース割当サポート、端末パワー節約のためのＤＲＸ（Ｄｉｓｃｏｎｔｉｎｕｏｕｓ  Ｒｅｃｅｐｔｉｏｎ）サポート、及びＭＢＭＳ送信サポートにより特徴される。ＰＣＨは、端末パワー節約のためのＤＲＸサポート、セル全領域へのブロードキャストにより特徴される。ＭＣＨは、セル全領域へのブロードキャスト及びＭＢＳＦＮ（ＭＢＭＳ  Ｓｉｎｇｌｅ  Ｆｒｅｑｕｅｎｃｙ  Ｎｅｔｗｏｒｋ）サポートにより特徴される。
【００３７】
図７は、ダウンリンク伝送チャネルとダウンリンク物理チャネルとの間のマッピングを示す。これは３ＧＰＰ  ＴＳ  ３６．３００  Ｖ８．５．０（２００８−０５）の５．３．１節を参照することができる。
【００３８】
図７を参照すると、ＢＣＨは、ＰＢＣＨ（Ｐｈｙｓｉｃａｌ  Ｂｒｏａｄｃａｓｔ  Ｃｈａｎｎｅｌ）にマッピングされ、ＭＣＨは、ＰＭＣＨ（Ｐｈｙｓｉｃａｌ  Ｍｕｌｔｉｃａｓｔ  Ｃｈａｎｎｅｌ）にマッピングされ、ＰＣＨとＤＬ−ＳＣＨは、ＰＤＳＣＨ（Ｐｈｙｓｉｃａｌ  Ｄｏｗｎｌｉｎｋ  Ｓｈａｒｅｄ  Ｃｈａｎｎｅｌ）にマッピングされる。ＰＢＣＨは、ＢＣＨ伝送ブロック（ｔｒａｎｓｐｏｒｔ  ｂｌｏｃｋ）を運び、ＰＭＣＨは、ＭＣＨを運び、ＰＤＳＣＨは、ＤＬ−ＳＣＨとＰＣＨを運ぶ。
【００３９】
物理階層で使われるダウンリンク物理制御チャネルには、ＰＤＣＣＨ（Ｐｈｙｓｉｃａｌ  ｄｏｗｎｌｉｎｋ  ｃｏｎｔｒｏｌ  ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）などがある。ＰＤＣＣＨは、端末にＰＣＨとＤＬ−ＳＣＨのリソース割当及びＤＬ−ＳＣＨと関連したＨＡＲＱ情報に対して知らせる。ＰＤＣＣＨは、端末にアップリンク送信のリソース割当を知らせるアップリンクスケジューリンググラント（ＵＬ  ｓｃｈｅｄｕｌｉｎｇ  ｇｒａｎｔ）を運ぶことができる。ＰＣＦＩＣＨは、端末にサブフレーム内でＰＤＣＣＨの送信に使われるＯＦＤＭシンボルの数を知らせる。ＰＣＦＩＣＨは、サブフレーム毎に送信されることができる。ＰＨＩＣＨは、アップリンク送信に対する応答としてＨＡＲＱＡＣＫ／ＮＡＫ信号を運ぶ。
【００４０】
図８は、無線フレームの構造を示す。
【００４１】
図８を参照すると、無線フレーム（Ｒａｄｉｏ  Ｆｒａｍｅ）は、１０個のサブフレーム（Ｓｕｂｆｒａｍｅ）で構成され、一つのサブフレームは、２個のスロット（Ｓｌｏｔ）で構成されることができる。無線フレーム内のスロットは、０番から１９番までスロット番号が付けられる。一つのサブフレームの送信にかかる時間をＴＴＩ（ｔｒａｎｓｍｉｓｓｉｏｎ  ｔｉｍｅ  ｉｎｔｅｒｖａｌ）という。ＴＴＩは、データ送信のためのスケジューリング単位である。例えば、一つの無線フレームの長さは１０ｍｓであり、一つのサブフレームの長さは１ｍｓであり、一つのスロットの長さは０．５ｍｓである。
【００４２】
無線フレームの構造は、例示に過ぎず、無線フレームに含まれるサブフレームの数またはサブフレームに含まれるスロットの数、スロットに含まれるＯＦＤＭシンボルの数は多様に変更されることができる。
【００４３】
図９は、一つのダウンリンクスロットに対するリソースグリッド（ｒｅｓｏｕｒｃｅ  ｇｒｉｄ）を示す。
【００４４】
図９を参照すると、ダウンリンクスロットは、時間領域（ｔｉｍｅ  ｄｏｍａｉｎ）で複数のＯＦＤＭシンボルを含み、周波数領域（ｆｒｅｑｕｅｎｃｙ  ｄｏｍａｉｎ）でＮＤＬリソースブロック（Ｒｅｓｏｕｒｃｅ  ｂｌｏｃｋ；ＲＢ）を含む。ダウンリンクスロットに含まれるリソースブロックの数ＮＤＬは、セルで設定されるダウンリンク送信帯域幅（ｂａｎｄｗｉｄｔｈ）に従属する。例えば、ＬＴＥシステムにおいて、ＮＤＬは、６０〜１１０のうちいずれか一つである。一つのリソースブロックは、周波数領域で複数の副搬送波を含む。
【００４５】
リソースグリッド上の各要素（ｅｌｅｍｅｎｔ）をリソース要素（Ｒｅｓｏｕｒｃｅ  ｅｌｅｍｅｎｔ）と呼ぶ。リソースグリッド上のリソース要素は、スロット内のインデックス対（ｐａｉｒ）（ｋ，ｌ）により識別されることができる。ここで、ｋ（ｋ＝０，．．．，ＮＤＬ×１２−１）は、周波数領域の副搬送波インデックスであり、ｌ（ｌ＝０，．．．，６）は、時間領域のＯＦＤＭシンボルインデックスである。
【００４６】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数はこれに制限されない。ＯＦＤＭシンボルの数と副搬送波の数は、ＣＰ（ｃｙｃｌｉｃ  ｐｒｅｆｉｘ）の長さ、周波数間隔（ｆｒｅｑｕｅｎｃｙ  ｓｐａｃｉｎｇ）などによって多様に変更されることができる。例えば、一般（ｎｏｒｍａｌ）ＣＰの場合、ＯＦＤＭシンボルの数は７であり、拡張された（ｅｘｔｅｎｄｅｄ）ＣＰの場合、ＯＦＤＭシンボルの数は６である。一つのＯＦＤＭシンボルで副搬送波の数は１２８、２５６、５１２、１０２４、１５３６、及び２０４８うちいずれか一つである。
【００４７】
図１０は、サブフレームの構造を示す。
【００４８】
図１０を参照すると、サブフレームは、２個の連続的な（ｃｏｎｓｅｃｕｔｉｖｅ）スロットを含む。サブフレーム内で第１のスロットの前方部の３ＯＦＤＭシンボルは、ＰＤＣＣＨが割り当てられる制御領域（ｃｏｎｔｒｏｌ  ｒｅｇｉｏｎ）であり、残りのＯＦＤＭシンボルはＰＤＳＣＨが割り当てられるデータ領域（ｄａｔａ  ｒｅｇｉｏｎ）である。制御領域にはＰＤＣＣＨの以外にもＰＣＦＩＣＨ、ＰＨＩＣＨなどの制御チャネルが割り当てられることができる。端末は、ＰＤＣＣＨを介して送信される制御情報をデコーディングしてＰＤＳＣＨを介して送信されるデータ情報を読み込むことができる。ここで、制御領域が３ＯＦＤＭシンボルを含むことは例示に過ぎず、制御領域には２ＯＦＤＭシンボルまたは１ＯＦＤＭシンボルが含まれることができる。サブフレーム内の制御領域が含むＯＦＤＭシンボルの数はＰＣＦＩＣＨを介して分かる。
【００４９】
制御領域は、複数のＣＣＥ（ｃｏｎｔｒｏｌ  ｃｈａｎｎｅｌ  ｅｌｅｍｅｎｔｓ）である論理的なＣＣＥ列で構成される。ＣＣＥ列は、一つのサブフレーム内で制御領域を構成する全体ＣＣＥの集合である。ＣＣＥは、複数のリソース要素グループ（ｒｅｓｏｕｒｃｅ  ｅｌｅｍｅｎｔ  ｇｒｏｕｐ）に対応される。例えば、ＣＣＥは、９リソース要素グループに対応されることができる。リソース要素グループは、リソース要素で制御チャネルをマッピングすることを定義するために使われる。例えば、一つのリソース要素グループは、４個のリソース要素で構成されることができる。
【００５０】
複数のＰＤＣＣＨは、制御領域内で送信されることができる。ＰＤＣＣＨは、スケジューリング割当のような制御情報（ｃｏｎｔｒｏｌ  ｉｎｆｏｒｍａｔｉｏｎ）を運ぶ。ＰＤＣＣＨは、一つまたは複数の連続的なＣＣＥ（ｃｏｎｔｒｏｌ  ｃｈａｎｎｅｌ  ｅｌｅｍｅｎｔｓ）の集団（ａｇｇｒｅｇａｔｉｏｎ）上に送信される。ＣＣＥ集団を構成するＣＣＥの数（Ｎｕｍｂｅｒ  ｏｆ  ＣＣＥ）によってＰＤＣＣＨのフォーマット及び可能なＰＤＣＣＨのビット数が決定される。ＰＤＣＣＨ送信のために使われるＣＣＥの数をＣＣＥ集団レベル（ａｇｇｒｅｇａｔｉｏｎ  ｌｅｖｅｌ）と呼ぶ。また、ＣＣＥ集団レベルは、ＰＤＣＣＨを検索するためのＣＣＥ単位である。ＣＣＥ集団レベルの大きさは、隣接するＣＣＥの数により定義される。例えば、ＣＣＥ集団レベルは｛１，２，４，８｝の元素である。
【００５１】
次の表は、ＣＣＥ集団レベルによるＰＤＣＣＨのフォーマット、可能なＰＤＣＣＨのビット数の例を示す。
【００５２】
【表１】
0005496204.tif 000002
【００５３】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ；以下、ＤＣＩという）という。ＤＣＩは、アップリンクスケジューリング情報、ダウンリンクスケジューリング情報、システム情報（ｓｙｓｔｅｍ  ｉｎｆｏｒｍａｔｉｏｎ）、アップリンク電力制御命令（ｐｏｗｅｒ  ｃｏｎｔｒｏｌ  ｃｏｍｍａｎｄ）、ページングのための制御情報、ランダムアクセス応答（ＲＡＣＨ  ｒｅｓｐｏｎｓｅ）を指示するための制御情報などを含む。
【００５４】
ＤＣＩフォーマットには、ＰＵＳＣＨ（Ｐｈｙｓｉｃａｌ  Ｕｐｌｉｎｋ  Ｓｈａｒｅｄ  Ｃｈａｎｎｅｌ）スケジューリングのためのフォーマット０、一つのＰＤＳＣＨ（Ｐｈｙｓｉｃａｌ  Ｄｏｗｎｌｉｎｋ  Ｓｈａｒｅｄ  ｃｈａｎｎｅｌ）コードワードのスケジューリングのためのフォーマット１、一つのＰＤＳＣＨコードワードの簡単な（ｃｏｍｐａｃｔ）スケジューリングのためのフォーマット１Ａ、空間多重化モードで単一コードワードのランク−１送信に対する簡単なスケジューリングのためのフォーマット１Ｂ、ＤＬ−ＳＣＨ（Ｄｏｗｎｌｉｎｋ  Ｓｈａｒｅｄ  Ｃｈａｎｎｅｌ）の非常に簡単なスケジューリングのためのフォーマット１Ｃ、多重ユーザ空間多重化モードでＰＤＳＣＨスケジューリングのためのフォーマット１Ｄ、閉ループ（Ｃｌｏｓｅｄ−ｌｏｏｐ）空間多重化モードでＰＤＳＣＨスケジューリングのためのフォーマット２、開ループ（Ｏｐｅｎ−ｌｏｏｐ）空間多重化モードでＰＤＳＣＨスケジューリングのためのフォーマット２Ａ、ＰＵＣＣＨ及びＰＵＳＣＨのための２ビット電力調節のＴＰＣ（Ｔｒａｎｓｍｉｓｓｉｏｎ  Ｐｏｗｅｒ  Ｃｏｎｔｒｏｌ）命令の送信のためのフォーマット３、及びＰＵＣＣＨ及びＰＵＳＣＨのための１ビット電力調節のＴＰＣ命令の送信のためのフォーマット３Ａなどがある。
【００５５】
図１１は、ＰＤＣＣＨを構成する方法を示す。
【００５６】
図１１を参照すると、制御情報の情報ビットは配列されて複数の情報フィールド（ｉｎｆｏｒｍａｔｉｏｎ  ｆｉｅｌｄ）を構成する。複数の情報フィールドは、ＤＣＩフォーマットのリスト（ｌｉｓｔ）の順序によって多重化される。基地局は、複数のＤＣＩフォーマットの中から送信する制御情報によって一つのＤＣＩフォーマットを選択することができる。
【００５７】
ＤＣＩフォーマットによる制御情報にエラー検出（ｅｒｒｏｒ  ｄｅｔｅｃｔｉｏｎ）のためのＣＲＣ（ｃｙｃｌｉｃ  ｒｅｄｕｎｄａｎｃｙ  ｃｈｅｃｋ）が付加される（Ｓ１１０）。ＣＲＣにはＰＤＣＣＨの所有者（ｏｗｎｅｒ）や用途によって識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という）がマスキングされる。ＲＮＴＩには、端末の固有識別子であるＣ（Ｃｅｌｌ）−ＲＮＴＩ、ランダムアクセス（ｒａｎｄｏｍ  ａｃｃｅｓｓ）過程で使われる端末の臨時識別子である臨時（ｔｅｍｐｏｒａｒｙ）Ｃ−ＲＮＴＩ、ＰＣＨを介して送信されるページングメッセージのためのページング識別子であるＰ（Ｐａｇｉｎｇ）−ＲＮＴＩ、ＤＬ−ＳＣＨを介して送信されるシステム情報のためのＳＩ（Ｓｙｓｔｅｍ  Ｉｎｆｏｒｍａｔｉｏｎ）−ＲＮＴＩ、端末のランダムアクセスプリアンブル（ｐｒｅａｍｂｌｅ）に対するランダムアクセス応答のためのＲＡ（Ｒａｎｄｏｍ  Ａｃｃｅｓｓ）−ＲＮＴＩなどがある。
【００５８】
ＣＲＣが付加された制御情報にはチャネルコーディングが実行され、符号化されたデータ（ｃｏｄｅｄ  ｄａｔａ）が生成される（Ｓ１２０）。符号化されたデータにはＰＤＣＣＨフォーマットに割り当てられたＣＣＥ集団レベルによる送信率マッチング（ｒａｔｅ  ｍａｔｃｈｉｎｇ）が実行される（Ｓ１３０）。符号化されたデータは変調シンボルに変調され、一つのＰＤＣＣＨを構成する変調シンボルのＣＣＥ集団レベルは１、２、４、及び８のうち一つである。変調シンボルは物理的リソース要素にマッピングされる。
【００５９】
図１２は、本発明の一実施例に係る制御情報の送信方法を示す。
【００６０】
図１２を参照すると、基地局は、ＰＤＣＣＨを介してダウンリンク制御情報（ＤＣＩ）を送信する（Ｓ２１０）。基地局は、ＤＣＩフォーマットを選択し、選択されたＤＣＩフォーマットによってダウンリンク制御情報を送信する。ここではＤＣＩフォーマット１Ｂを用いて空間多重化モードで単一コードワードのランク−１送信に対する簡単なスケジューリングを送信すると仮定する。
【００６１】
表２は、ＤＣＩフォーマット１Ｂを用いて送信されるダウンリンク制御情報の一例を示す。
【００６２】
【表２】
0005496204.tif 000003
【００６３】
ＤＣＩフォーマット１Ｂは、複数の情報フィールドを含む。複数の情報フィールドには、局地的／分散的ＶＲＢ（ｖｉｒｔｕａｌ  ｒｅｓｏｕｒｃｅ  ｂｌｏｃｋ）割当フラッグ（ｆｌａｇ）フィールド、リソースブロック割当フィールド、ＭＣＳ（Ｍｏｄｕｌａｔｉｏｎ  ａｎｄ  Ｃｏｄｉｎｇ  Ｓｃｈｅｍｅ）フィールド、ＨＡＲＱ処理数フィールド、新しいデータインジケータフィールド、ＰＵＣＣＨのためのＴＰＣ命令フィールド、ダウンリンク割当インデックスフィールド、プリコーディングのためのＴＰＭＩ（ｔｒａｎｓｍｉｔｔｅｄ  ｐｒｅｃｏｄｉｎｇ    ｍａｔｒｉｘ    ｉｎｄｉｃａｔｏｒ）情報フィールド、プリコーディングのためのＰＭＩ承認フィールドなどが含まれる。各情報フィールドのビット数は、例示に過ぎず、情報フィールドの大きさを制限するものではない。
【００６４】
局地的／分散的ＶＲＢ割当フラッグフィールドは、割り当てられるリソースブロックが連続的に割り当てられる局地的ＶＲＢ方式であるかまたはリソースブロックが分散されて割り当てられる分散的ＶＲＢ方式であるかを区別するための情報フィールドである。
【００６５】
リソースブロック割当フィールドは、局地的ＶＲＢまたは分散的ＶＲＢによってフィールドのビット大きさが変わることができる。局地的ＶＲＢに対して
【化１】
0005496204.tif 000004
ビットがリソース割当に提供される。ここで、
【化２】
0005496204.tif 000005
は、ダウンリンクスロットに含まれるリソースブロックの数であり、セルで設定されるダウンリンク送信帯域幅に従属する。分散的ＶＲＢに対して
【化３】
0005496204.tif 000006
が５０未満である場合には
【化４】
0005496204.tif 000007
ビットがリソース割当に提供され、
【化５】
0005496204.tif 000008
が５０以上である場合には
【化６】
0005496204.tif 000009
ビットがリソース割当に提供される。
【００６６】
ＴＰＭＩ情報フィールドは、単一階層、即ち、ランク−１送信に対応するコードブックインデックスを指示する。表３は、アンテナポート数によるＴＰＭＩ情報フィールドのビット数の一例を示す。
【００６７】
【表３】
0005496204.tif 000010
【００６８】
アンテナポート数が２の場合、ＴＰＭＩ情報フィールドは２ビットを使用し、アンテナポート数が４の場合、ＴＰＭＩ情報フィールドは４ビットを使用する。アンテナポート数は例示に過ぎず、制限するものではない。アンテナポート数は６、８等、多様に定められることができ、これによってＴＰＭＩ情報フィールドのビット数は変わることができる。
【００６９】
表４は、２個のアンテナポートに対するＴＰＭＩ情報フィールドが指示するコードブックインデックスの一例を示す。
【００７０】
【表４】
0005496204.tif 000011
【００７１】
表５は、４個のアンテナポートに対するＴＰＭＩ情報フィールドが指示するコードブックインデックスの一例を示す。
【００７２】
【表５】
0005496204.tif 000012
【００７３】
ＰＭＩ承認フィールドは、ＴＰＭＩ情報フィールドが指示するＰＭＩを適用してダウンリンクデータ送信に対するプリコーディングを実行するか、またはＰＵＳＣＨを介して報告された最後のＰＭＩを適用してダウンリンクデータ送信に対するプリコーディングを実行するかを指示する。即ち、ＰＭＩ承認フィールドは、端末が報告したＰＭＩを適用してダウンリンクデータ送信に対するプリコーディングを実行するか否かを指示する。表６は、ＰＭＩ承認フィールドが指示する内容の一例を示す。
【００７４】
【表６】
0005496204.tif 000013
【００７５】
ＰＭＩ承認フィールドのビット値１が指示するＰＵＳＣＨを介して報告された最後のＰＭＩを用いてプリコーディングを実行するというメッセージをＰＭＩ承認メッセージという。ＰＭＩ承認メッセージは、端末が報告したＰＭＩによってプリコーディングを実行することを意味する。
【００７６】
端末の報告するＰＭＩは、単一ユーザに対する空間多重化を適用するＳＵ−ＭＩＭＯ（Ｓｉｎｇｌｅ  Ｕｓｅｒ  ＭＩＭＯ）及び多重ユーザに対する空間多重化を適用するＭＵ−ＭＩＭＯ（Ｍｕｌｔｉ  Ｕｓｅｒ  ＭＩＭＯ）によって変わる。ＳＵ−ＭＩＭＯで、端末は、全体バンド（ｗｉｄｅｂａｎｄ）の中から特定周波数バンドを選択し、選択された周波数バンドに対するＰＭＩを送信することができる。選択された周波数バンドに対するＰＭＩを周波数選択的ＰＭＩ（ｆｒｅｑｕｅｎｃｙ  ｓｅｌｅｃｔｉｖｅ  ＰＭＩ）と呼ぶ。ＭＵ−ＭＩＭＯで、端末は、全体バンドに対するＰＭＩのみを送信する。全体バンドに対するＰＭＩを周波数均一ＰＭＩ（ｆｒｅｑｕｅｎｃｙ  ｆｌａｔ  ＰＭＩ）と呼ぶ。周波数均一ＰＭＩは、ＰＵＳＣＨを介して非周期的に送信されたり、或いはＰＵＣＣＨを介して周期的に送信されることができる。ＭＵ−ＭＩＭＯは高い相関アンテナ構成（ｈｉｇｈ  ｃｏｒｒｅｌａｔｅｄ  ａｎｔｅｎｎａ  ｃｏｎｆｉｇｕｒａｔｉｏｎ）状況で使われるため、ＭＵ−ＭＩＭＯを適用する時、ＰＭＩ承認フィールドは不必要な情報である。
【００７７】
以下、ＭＵ−ＭＩＭＯを適用するにあたってＰＭＩ承認フィールドを活用し、ＤＣＩの情報フィールドを効率的に構成することができる方法に対して説明する。
【００７８】
（１）第１の実施例
【００７９】
ＤＣＩフォーマット１Ｂによるダウンリンク制御情報に含まれるＰＭＩ承認フィールドが、ダウンリンク電力オフセット（ｄｏｗｎｌｉｎｋ  ｐｏｗｅｒ  ｏｆｆｓｅｔ）フィールドとして使われることができる。従って、ＤＣＩフォーマット１Ｂを用いたダウンリンク制御情報は、表７のように構成されることができる。
【００８０】
【表７】
0005496204.tif 000014
【００８１】
ダウンリンク電力オフセットフィールドは、ＭＵ−ＭＩＭＯ送信でＰＤＳＣＨを用いるランク−１送信に対する電力のオフセット値を指示する。端末は、ＭＵ−ＭＩＭＯ送信別にダウンリンク制御情報を受信し、相違に解析することができる。
【００８２】
表８は、アンテナポート数によるＴＰＭＩ情報フィールドのビット数及びダウンリンク電力オフセットのビット数の一例を示す。
【００８３】
【表８】
0005496204.tif 000015
【００８４】
ダウンリンク電力オフセットのビット数は、２個のアンテナポート及び４個のアンテナポートの両方とも１ビットを使用して電力オフセット値を指示することができる。電力情報は、上位階層シグナリングを介して送信され、電力オフセット値として単一ユーザが使用する電力値に対比して０ｄＢ、−３ｄＢの値が使われることができる。表９は、１ビットのダウンリンク電力オフセットフィールドのビット値による電力オフセット値の一例を示す。
【００８５】
【表９】
0005496204.tif 000016
【００８６】
（２）第２の実施例
【００８７】
４個のアンテナポート（４Ｔｘ）を用いる送信において、４ビットのコードブックのサブセット（ｓｕｂｓｅｔ）で構成される３ビットのコードブックが定義されることができ、これによってＴＰＭＩ情報フィールドは３ビットとして使われることができる。即ち、ＴＰＭＩ情報フィールドは、ダウンリンクデータ送信に適用されるコードブックの一部からなるサブセットのコードブックを指示することができる。ＴＰＭＩ情報フィールドの残りの１ビット及びＰＭＩ承認フィールドが、ダウンリンク電力オフセットフィールドとして使われることができる。従って、ＭＵ−ＭＩＭＯで、ＤＣＩフォーマット１Ｂを用いたダウンリンク制御情報は、表１０のように構成されることができる。
【００８８】
【表１０】
0005496204.tif 000017
【００８９】
表１１は、アンテナポート数によるＴＰＭＩ情報フィールドのビット数及びダウンリンク電力オフセットのビット数の他の例を示す。
【００９０】
【表１１】
0005496204.tif 000018
【００９１】
電力情報は、上位階層シグナリングを介して送信され、電力オフセット値として単一ユーザが使用する電力値に対比して０ｄＢ、−３ｄＢ、−１０ｌｏｇ１０（１／３）、−６ｄＢの値が使われることができる。表１２は、２ビットのダウンリンク電力オフセットフィールドのビット値による電力オフセット値の一例を示す。
【００９２】
【表１２】
0005496204.tif 000019
【００９３】
表９及び表１２のダウンリンク電力オフセットフィールドのビット値による電力オフセット値は、例示に過ぎず、制限するものではない。システムによって多様な電力オフセット値が定義されて使われることができる。
【００９４】
（３）第３の実施例
【００９５】
４Ｔｘ送信において、局地的／分散的ＶＲＢ割当フラッグフィールド及びＰＭＩ承認フィールドが、ダウンリンク電力オフセットフィールドとして使われることができる。従って、ＭＵ−ＭＩＭＯで、ＤＣＩフォーマット１Ｂを用いたダウンリンク制御情報は、表１３のように構成されることができる。
【００９６】
【表１３】
0005496204.tif 000020
【００９７】
表１４は、アンテナポート数によるＴＰＭＩ情報フィールドのビット数及びダウンリンク電力オフセットのビット数の他の例を示す。
【００９８】
【表１４】
0005496204.tif 000021
【００９９】
２ビットのダウンリンク電力オフセットフィールドのビット値による電力オフセット値は、表１２のように表すことができる。２Ｔｘ送信でも、局地的／分散的ＶＲＢ割当フラッグフィールド及びＰＭＩ承認フィールドが、２ビットのダウンリンク電力オフセットフィールドとして使われることができる。
【０１００】
（４）第４の実施例
【０１０１】
４Ｔｘ送信において、４ビットのコードブックのサブセット（ｓｕｂｓｅｔ）で構成される３ビットのコードブックが定義されることができ、これによって、ＴＰＭＩ情報フィールドは３ビットで使われることができる。ＴＰＭＩ情報フィールドの残りの１ビット及びＰＭＩ承認フィールドが、１ビットの干渉ベクトル（ｉｎｔｅｒｆｅｒｅｎｃｅ  ｖｅｃｔｏｒ）フィールド及び１ビットのダウンリンク電力オフセットフィールドとして使われることができる。干渉ベクトルフィールドは、ダウンリンク送信またはアップリンク送信の干渉情報を指示する。例えば、干渉ベクトルフィールドのビット値によってＳＩＮＲ（ｓｉｇｎａｌ  ｔｏ  ｉｎｔｅｒｆｅｒｅｎｃｅ  ｒａｔｉｏ）値またはその差分値が指示されることができる。従って、ＭＵ−ＭＩＭＯで、ＤＣＩフォーマット１Ｂを用いたダウンリンク制御情報は、表１５のように構成されることができる。
【０１０２】
【表１５】
0005496204.tif 000022
【０１０３】
表１６は、アンテナポート数によるＴＰＭＩ情報フィールドのビット数、ダウンリンク電力オフセットのビット数及び干渉ベクトルフィールドのビット数の一例を示す。
【０１０４】
【表１６】
0005496204.tif 000023
【０１０５】
２Ｔｘ送信において、ＰＭＩ承認フィールドが、ダウンリンク電力オフセットフィールドまたは干渉ベクトルフィールドとして使われることができる。ＴＰＭＩ情報フィールド及びＰＭＩ承認フィールドからダウンリンク電力オフセットフィールド及び干渉ベクトルフィールドに有用される有用順序は、順序にまたは逆順になることができる。
【０１０６】
（５）第５の実施例
【０１０７】
４Ｔｘ送信において、４ビットのコードブックのサブセット（ｓｕｂｓｅｔ）で構成される３ビットのコードブックが定義されることができ、これによってＴＰＭＩ情報フィールドは３ビットで使われることができる。ＴＰＭＩ情報フィールドの残りの１ビット及びＰＭＩ承認フィールドが、２ビットの干渉ベクトルフィールドとして使われることができる。従って、ＭＵ−ＭＩＭＯで、ＤＣＩフォーマット１Ｂを用いたダウンリンク制御情報は、表１７のように構成されることができる。
【０１０８】
【表１７】
0005496204.tif 000024
【０１０９】
表１８は、アンテナポート数によるＴＰＭＩ情報フィールドのビット数及び干渉ベクトルフィールドのビット数の一例を示す。
【０１１０】
【表１８】
0005496204.tif 000025
【０１１１】
２Ｔｘ送信の場合、ＰＭＩ承認フィールドが、１ビットの干渉ベクトルフィールドとして使われることができる。
【０１１２】
（６）第６の実施例
【０１１３】
４Ｔｘ送信において、局地的／分散的ＶＲＢ割当フラッグフィールド及びＰＭＩ承認フィールドが、１ビットの干渉ベクトルフィールド及び１ビットのダウンリンク電力オフセットフィールドとして使われることができる。従って、ＭＵ−ＭＩＭＯで、ＤＣＩフォーマット１Ｂを用いたダウンリンク制御情報は、表１９のように構成されることができる。
【０１１４】
【表１９】
0005496204.tif 000026
【０１１５】
表２０は、アンテナポート数によるＴＰＭＩ情報フィールドのビット数、ダウンリンク電力オフセットのビット数及び干渉ベクトルフィールドのビット数の他の例を示す。
【０１１６】
【表２０】
0005496204.tif 000027
【０１１７】
２Ｔｘ送信でも局地的／分散的ＶＲＢ割当フラッグフィールド及びＰＭＩ承認フィールドが、ダウンリンク電力オフセットフィールド及び干渉ベクトルフィールドとして使われることができる。局地的／分散的ＶＲＢ割当フラッグフィールド及びＰＭＩ承認フィールドからダウンリンク電力オフセットフィールド及び干渉ベクトルフィールドに有用される有用順序は、順序にまたは逆順になることができる。
【０１１８】
（７）第７の実施例
【０１１９】
４Ｔｘ送信において、局地的／分散的ＶＲＢ割当フラッグフィールド及びＰＭＩ承認フィールドが、２ビットの干渉ベクトルフィールドとして使われることができる。従って、ＭＵ−ＭＩＭＯで、ＤＣＩフォーマット１Ｂを用いたダウンリンク制御情報は、表２１のように構成されることができる。
【０１２０】
【表２１】
0005496204.tif 000028
【０１２１】
表２２は、アンテナポート数によるＴＰＭＩ情報フィールドのビット数及び干渉ベクトルフィールドのビット数の他の例を示す。
【０１２２】
【表２２】
0005496204.tif 000029
【０１２３】
２Ｔｘ送信において、局地的／分散的ＶＲＢ割当フラッグフィールド及びＰＭＩ承認フィールドが、２ビットの干渉ベクトルフィールドとして使われることができる。
【０１２４】
（８）第８の実施例
【０１２５】
２Ｔｘ送信おいて、４ビットのコードブックのサブセット（ｓｕｂｓｅｔ）で構成される２ビットのコードブックが定義されることができる。２Ｔｘ送信において、局地的／分散的ＶＲＢ割当フラッグフィールド及びＰＭＩ承認フィールドが、２ビットの干渉ベクトルフィールドとして使われることができる。ＭＵ−ＭＩＭＯで、ＤＣＩフォーマット１Ｂを用いたダウンリンク制御情報は、表２１のように構成されることができ、アンテナポート数によるＴＰＭＩ情報フィールドのビット数及び干渉ベクトルフィールドのビット数は、表２２のように表すことができる。
【０１２６】
（９）第９の実施例
【０１２７】
２Ｔｘ送信において、局地的／分散的ＶＲＢ割当フラッグフィールド及びＰＭＩ承認フィールドが、２ビットのダウンリンク電力オフセットフィールドとして使われることができる。ＭＵ−ＭＩＭＯで、ＤＣＩフォーマット１Ｂを用いたダウンリンク制御情報は、表１３のように構成されることができ、アンテナポート数によるＴＰＭＩ情報フィールドのビット数及びダウンリンク電力オフセットフィールドのビット数は、表１４のように表すことができる。
【０１２８】
（１０）第１０の実施例
【０１２９】
２Ｔｘ送信において、局地的／分散的ＶＲＢ割当フラッグフィールド及びＰＭＩ承認フィールドが、１ビットの干渉ベクトルフィールド及び１ビットのダウンリンク電力オフセットフィールドとして使われることができる。ＭＵ−ＭＩＭＯで、ＤＣＩフォーマット１Ｂを用いたダウンリンク制御情報は、表１９のように構成されることができ、アンテナポート数によるＴＰＭＩ情報フィールドのビット数、ダウンリンク電力オフセットのビット数及び干渉ベクトルフィールドのビット数は、表２０のように表すことができる。局地的／分散的ＶＲＢ割当フラッグフィールド及びＰＭＩ承認フィールドからダウンリンク電力オフセットフィールド及び干渉ベクトルフィールドに有用される有用順序は、順序にまたは逆順になることができる。
【０１３０】
端末は、受信されたＤＣＩによってＰＤＳＣＨを介してダウンリンクデータを受信する（Ｓ２２０）。端末は、ＤＣＩに含まれるダウンリンク電力オフセットフィールドまたは干渉ベクトルフィールドから電力情報または干渉情報を獲得することができるため、より効率的にＭＵ−ＭＩＭＯのダウンリンクデータを受信することができる。
【０１３１】
前述した全ての機能は、前記機能を遂行するようにコーディングされたソフトウェアやプログラムコードなどによるマイクロプロセッサ、制御器、マイクロ制御器、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのようなプロセッサにより遂行されることができる。前記コードの設計、開発、及び具現は、本発明の説明に基づいて当業者に自明であるといえる。
【０１３２】
以上、本発明に対して実施例を参照して説明したが、該当技術分野の通常の知識を有する者は、本発明の技術的思想及び領域から外れない範囲内で本発明を多様に修正及び変更させて実施できることを理解することができる。従って、前述した実施例に限定されず、本発明は、特許請求の範囲内の全ての実施例を含む。
【図１】
0005496204.tif 000030
【図２】
0005496204.tif 000031
【図３】
0005496204.tif 000032
【図４】
0005496204.tif 000033
【図５】
0005496204.tif 000034
【図６】
0005496204.tif 000035
【図７】
0005496204.tif 000036
【図８】
0005496204.tif 000037
【図９】
0005496204.tif 000038
【図１０】
0005496204.tif 000039
【図１１】
0005496204.tif 000040
【図１２】
0005496204.tif 000041